(57)【要約】【課題】使用者が使用済みの内視鏡用鉗子栓を誤って再使用するのを防止することができる内視鏡用鉗子栓を提供すること。【解決手段】内視鏡の処置具挿通チャンネルの基端開口部１６１に着脱可能に装着して使用される内視鏡用鉗子栓１であって、前記装着時に基端開口部１６１に係合する本体２を備え、本体２は、本体２の他の部分よりも強度の低い低強度部２１１を有し、本体２が基端開口部１６１から離脱される際に、低強度部２１１が本体２を再使用不可能な状態にするように不可逆的に変形する。低強度部２１１は、本体２にその一部を残すように形成された切り込みによるものであのが好ましく、また、前記離脱の際に破断するのが好ましい。【選択図】図２
2006055446.tif 000002
【特許請求の範囲】
【請求項１】
内視鏡の処置具挿通チャンネルの端部に着脱可能に装着して使用される内視鏡用鉗子栓であって、
前記装着時に前記端部に係合する本体を備え、
前記本体は、その一部に他の部分よりも強度の低い低強度部を有し、前記本体が前記端部から離脱される際に、前記低強度部が不可逆的に変形することにより、使用済みであることを認識可能となるように構成されていることを特徴とする内視鏡用鉗子栓。
【請求項２】
前記低強度部は、前記装着時には可逆的に弾性変形のみする請求項１に記載の内視鏡用鉗子栓。
【請求項３】
前記低強度部は、前記離脱の際に破断する請求項１または２に記載の内視鏡用鉗子栓。
【請求項４】
前記低強度部は、前記本体にその一部を残すように形成された切り込みによるものである請求項１ないし３のいずれかに記載の内視鏡用鉗子栓。
【請求項５】
前記切り込みは、前記離脱の際における前記本体の移動方向にほぼ直角に延びている請求項４に記載の内視鏡用鉗子栓。
【請求項６】
前記切り込みは、前記本体の前記端部との係合部の少なくとも一部を残すように形成されている請求項４または５に記載の内視鏡用鉗子栓。
【請求項７】
前記本体は、筒状をなしている請求項１ないし６のいずれかに記載の内視鏡用鉗子栓。
【請求項８】
前記筒状の前記本体は、その内周を拡径するように形成された拡径部を有し、前記端部の外周に突出形成されたフランジに係合するものである請求項７に記載の内視鏡用鉗子栓。
【請求項９】
前記低強度部は、前記装着時に、前記フランジよりも内視鏡側に位置している請求項８に記載の内視鏡用鉗子栓。
【請求項１０】
前記低強度部は、前記低強度部を中心として前記本体の両側を離反方向に、１〜２ｋｇの力で引っ張った際に、前記変形を生じるようになっている請求項１ないし９のいずれかに記載の内視鏡用鉗子栓。
【発明の詳細な説明】
【技術分野】
【０００１】
本発明は、内視鏡の処置具挿通チャンネルの端部に着脱可能に装着される内視鏡用鉗子栓に関する。
【背景技術】
【０００２】
内視鏡の挿入部の内部には、例えば鉗子、切開具、結紮具、各種センサー等の処置具を挿入して使用するための処置具挿通チャンネル（通路）が設けられている。体腔内に内視鏡挿入部を挿入した状態で、前記のような各種の処置具を処置具挿通チャンネルの基端開口部から挿入し、先端開口部から突出させることによって、各種の処置を行うことができる。
【０００３】
この処置具挿通チャンネルの基端開口部には、体腔内の液体等が外部に漏出するのを防止するため、ゴム等の弾性材料で構成された内視鏡用鉗子栓が着脱可能に設置されている。内視鏡用鉗子栓には、通常スリットが形成されており、このスリットを押し開いて処置具挿通チャンネル内に処置具を挿入する。そして、処置具を抜去すると、弾性によりスリットが自動的に閉じて、体腔内の液体等の漏出を防止する。
【０００４】
このような内視鏡用鉗子栓は、使用により体液等が付着するため、感染制御の観点から、使用毎に新たなものと交換するように、ディスポーザブル化されている。
【０００５】
しかしながら、従来の内視鏡用鉗子栓は、一旦使用され処置具挿通チャンネルの基端開口部から取り外されて使用済みとなっても、基端開口部に再度装着可能な状態のままであるので、使用者が誤って再使用するおそれがある。また、使用済みのものであっても、外見上では、未使用なのか使用済みなのかがよく分からないため、この点でも、使用者が誤って再使用するおそれがある。
【０００６】
【特許文献１】特許第３４４１５６３号公報
【発明の開示】
【発明が解決しようとする課題】
【０００７】
本発明の目的は、使用者が使用済みの内視鏡用鉗子栓を誤って再使用するのを防止することができる内視鏡用鉗子栓を提供することにある。
【課題を解決するための手段】
【０００８】
このような目的は、下記（１）〜（１０）の本発明により達成される。
（１）  内視鏡の処置具挿通チャンネルの端部に着脱可能に装着して使用される内視鏡用鉗子栓であって、
前記装着時に前記端部に係合する本体を備え、
前記本体は、その一部に他の部分よりも強度の低い低強度部を有し、前記本体が前記端部から離脱される際に、前記低強度部が不可逆的に変形することにより、使用済みであることを認識可能となるように構成されていることを特徴とする内視鏡用鉗子栓。
【０００９】
これにより、使用済みの内視鏡用鉗子栓は変形していて、その外見から使用済みであることが分かるので、使用者が使用済みの内視鏡用鉗子栓を誤って再使用するのを防止することができる。
【００１０】
また、処置具挿通チャンネルの端部から取り外された内視鏡用鉗子栓は再使用不可能となるので、この点でも、使用者が使用済みの内視鏡用鉗子栓を誤って再使用するのを防止することができる。
【００１１】
（２）  前記低強度部は、前記装着時には可逆的に弾性変形のみする上記（１）に記載の内視鏡用鉗子栓。
【００１２】
これにより、内視鏡用鉗子栓の装着時に本体と処置具挿通チャンネルの端部との間の気密性をより確実に保つことができる。
【００１３】
（３）  前記低強度部は、前記離脱の際に破断する上記（１）または（２）に記載の内視鏡用鉗子栓。
【００１４】
これにより、使用済みの内視鏡用鉗子栓をより確実に使用不可能な状態とすることができる。
【００１５】
（４）  前記低強度部は、前記本体にその一部を残すように形成された切り込みによるものである上記（１）ないし（３）のいずれかに記載の内視鏡用鉗子栓。
これにより、比較的簡単に、本体に低強度部を形成することができる。
【００１６】
（５）  前記切り込みは、前記離脱の際における前記本体の移動方向にほぼ直角に延びている上記（４）に記載の内視鏡用鉗子栓。
【００１７】
これにより、内視鏡用鉗子栓の離脱時により確実に本体を再使用不可能な状態に変形させることができる。
【００１８】
（６）  前記切り込みは、前記本体の前記端部との係合部の少なくとも一部を残すように形成されている上記（４）または（５）に記載の内視鏡用鉗子栓。
【００１９】
これにより、内視鏡用鉗子栓の装着時や離脱時における低強度部の不本意な変形をより確実に防止することができる。
【００２０】
（７）  前記本体は、筒状をなしている上記（１）ないし（６）のいずれかに記載の内視鏡用鉗子栓。
【００２１】
これにより、内視鏡用鉗子栓の装着時に本体と処置具挿通チャンネルの端部との間の気密性をより確実に保つことができる。
【００２２】
（８）  前記筒状の前記本体は、その内周を拡径するように形成された拡径部を有し、前記端部の外周に突出形成されたフランジに係合するものである上記（７）に記載の内視鏡用鉗子栓。
【００２３】
これにより、内視鏡用鉗子栓の装着時に本体と処置具挿通チャンネルの端部との間の気密性をより確実に保つとともに、本体が前記端部から不本意に離脱するのをより確実に防止することができる。
【００２４】
（９）  前記低強度部は、前記装着時に、前記フランジよりも内視鏡側に位置している上記（８）に記載の内視鏡用鉗子栓。
【００２５】
これにより、内視鏡用鉗子栓の離脱時に、本体の一部が処置具挿通チャンネルの端部に残ったままとなるのを防止することができる。
【００２６】
（１０）  前記低強度部は、前記低強度部を中心として前記本体の両側を離反方向に、１〜２ｋｇの力で引っ張った際に、前記変形を生じるようになっている上記（１）ないし（９）のいずれかに記載の内視鏡用鉗子栓。
【００２７】
これにより、使用済みの内視鏡用鉗子栓をより確実に使用不可能な状態とすることができる。
【発明を実施するための最良の形態】
【００２８】
以下、本発明の内視鏡用鉗子栓を添付図面に示す好適な実施形態に基づいて詳細に説明する。
図１は、本発明の内視鏡用鉗子栓が設置された内視鏡を示す平面図、図２は、本発明の内視鏡用鉗子栓の第１実施形態を示す縦断面図、図３は、図２のＡ−Ａ線断面図、図４は、本発明の内視鏡用鉗子栓を内視鏡に装着する様子を示す図、図５は、本発明の内視鏡用鉗子栓を内視鏡から離脱する様子を示す図である。なお、以下の説明では、図１ないし図５中の上側を「基端」、下側を「先端」と言う。
【００２９】
まず、図１に基づいて、内視鏡の構成の一例について簡単に説明する。
図１に示す内視鏡１０は、電子内視鏡であり、可撓性を有する長尺の挿入部可撓管１１と、該挿入部可撓管１１の基端側に設けられ、術者が把持して内視鏡１０全体を操作するための操作部１２と、挿入部可撓管１１の先端側に設けられ、操作部１２から湾曲状態を遠隔操作可能な湾曲部１３と、光源プロセッサ装置（図示せず）に接続するための光源差込部１４と、操作部１２と光源差込部１４とを接続する接続部可撓管１５とを有している。この内視鏡１０の内部には、光ファイバー束によるライトガイド、画像信号ケーブル、ケーブル、チューブ類等の内蔵物（図示せず）が配置、挿通されている。
【００３０】
なお、本発明の内視鏡用鉗子栓１は、内視鏡１０のような電子内視鏡に限らず、ファイバー内視鏡等の各種の内視鏡に対して使用することができることは言うまでもない。
【００３１】
内視鏡１０の使用時には、前記光源プロセッサ装置内の光源から発せられた光が、前記ライトガイドを通り、湾曲部１３の先端部より観察部位に照射され、照明する。
【００３２】
湾曲部１３の先端部には、観察部位における被写体像を撮像する図示しない撮像素子（ＣＣＤ）が設けられており、この撮像素子で撮像された被写体像に応じた画像信号は、前記画像信号ケーブルを介して前記光源プロセッサ装置に伝達され、所定の処理がなされた後、モニタ装置（図示せず）に入力される。モニタ装置では、撮像素子で撮像された画像（電子画像）、すなわち動画の内視鏡モニタ画像が表示される。
【００３３】
挿入部可撓管１１および湾曲部１３の内部には、処置具を挿通する処置具挿通チャンネル１６が形成されている。この処置具挿通チャンネル１６は、操作部１２に形成された突出部１２１に基端開口部１６１（処置具挿通チャンネル１６の端部）を有しており、湾曲部１３の先端に先端開口部１６２を有している。
【００３４】
このような内視鏡１０では、挿入部可撓管１１および湾曲部１３を体腔内に挿入した状態で、各種の処置具（図示せず）を基端開口部１６１から処置具挿通チャンネル１６内に挿入し、先端開口部１６２から突出（露出）させて使用することができる。使用可能な処置具としては、特に限定されないが、例えば、生検鉗子、把持鉗子等の鉗子類、体温センサー等の各種センサー類、心電測定用等の電極、ナイフ、レーザーメス等の切開具類、造影チューブ、洗浄チューブ、ドレナージチューブ等の各種チューブ類（カテーテル類）、破砕プローブ（破石具）、ヒートプローブ、注射針、結紮具、ワイヤー類等の各種の処置具（検査具）等が挙げられる。
【００３５】
基端開口部１６１は、突出部１２１から筒状（円筒状）に突出形成されている。また、基端開口部１６１の基端部には、径方向外方にリング状に突出するフランジ１６３が形成されている。
【００３６】
図２に示すように、本発明の内視鏡用鉗子栓１は、処置具挿通チャンネル１６の基端開口部（口金）１６１に設置して使用されるものである。
【００３７】
本実施形態の内視鏡用鉗子栓１は、基端開口部１６１に着脱可能に設置される本体２と、該本体２に対し着脱可能に設置される蓋体３とを備えている。
【００３８】
本体２および蓋体３は、それぞれ、弾性材料で構成されており、変形（弾性変形）可能になっている。本体２および蓋体３を構成する弾性材料としては、特に限定されないが、例えば、オレフィン系エラストマー、ウレタン系エラストマー、スチレン系エラストマー、フッ素系エラストマー等の各種熱可塑性エラストマー、シリコーン系エラストマー（シリコーンゴム）、ニトリルゴム（ＮＢＲ）、水素化ニトリルゴム（ＨＮＢＲ）、エチレン−プロピレンゴム（ＥＰＭ、ＥＰＤＭ）等の各種ゴムが挙げられ、これらのうちの１種または２種以上を混合（ブレンド）して用いることができる。
【００３９】
本体２は、全体形状としてほぼ円筒状（樽形）をなしており、その先端側の部分に基端開口部１６１が挿入した状態で設置されている。本体２の先端側の部分の内周には、リング状に突出する縮径部２１が形成されている。言い換えすれば、本体２の縮径部２１に対し基端側の部分の内周には、リング状に凹没する拡径部２５が形成されている。この縮径部２１の内周に基端開口部１６１が挿入され、フランジ１６３の先端側面に縮径部２１の基端面が係合することにより、本体２が基端開口部１６１に液密性を確保しつつ固定されている。
【００４０】
この本体２は、縮径部２１が拡径するように弾性変形することにより、基端開口部１６１に着脱可能になっている。これにより、内視鏡用鉗子栓１は、使用毎に新品に交換することができる。
【００４１】
本体２の基端部内周には、径方向内方にリング状に突出するフランジ２２が形成されている。
【００４２】
このように、本体２は、筒状をなし、これに対応する形状をなす基端開口部１６１に係合するので、内視鏡用鉗子栓１の装着時に本体２と基端開口部１６１との間の気密性をより確実に保つことができる。
【００４３】
また、本体２は、拡径部２５に対応する形状をなすフランジ１６３に係合するので、内視鏡用鉗子栓１の装着時に本体２と基端開口部１６１との間の気密性をより確実に保つとともに、本体２が基端開口部１６１から不本意に離脱するのをより確実に防止することができる。
【００４４】
縮径部２１および拡径部２５よりも基端側には、本体２の内腔を隔てる（区分する）ようにして、隔壁部２３が形成されている。隔壁部２３には、処置具が挿入（挿通）する孔２３１が形成されている。孔２３１の内径は、処置具の外径より小さいのが好ましい。この隔壁部２３が設けられていることにより、後述するように、処置具を挿入した状態における液体の漏出をより確実に防止することができる。なお、隔壁部２３はなくてもよい。
【００４５】
縮径部２１には、図３に示すように、他の部分よりも強度の低い低強度部（破断部）２１１を有する。
【００４６】
低強度部２１１は、図３に示すように、本体２にその一部を残すように形成された切り込み２１１Ａによるものである。言い換えすれば、この切り込み２１１Ａにより本体２に局所的に肉薄部が形成されることにより、低強度部２１１が形成されている。これにより、縮径部２１（本体２）の他の部分よりも強度が低くなっている。このような低強度部２１１は、例えば、本体２の成形に際し、射出成形などの後にレーザや切断機等により切り込み２１１Ａを形成することにより、型からの取り外し時における破損を防止しつつ、比較的簡単に形成することができる。
【００４７】
この低強度部２１１は、本体２が基端開口部１６１から離脱される際に破断するように構成されている。これにより、使用済みの内視鏡用鉗子栓１をより確実に使用不可能な状態とすることができる。
【００４８】
切り込み２１１Ａは、前記離脱の際における本体２の移動方向（図２にて上下方向）にほぼ直角に延びている。これにより、内視鏡用鉗子栓１の離脱時に、より確実に本体２を再使用不可能な状態に変形させることができる。
【００４９】
また、切り込み２１１Ａは、図３に示すように、本体２の基端開口部１６１との係合部（縮径部２１の内周）の少なくとも一部を残すように形成されている。これにより、内視鏡用鉗子栓１の装着時や離脱時に、フランジ１６３が切り込み２１１Ａに入り込むのを防止し、低強度部２１１の不本意な変形をより確実に防止することができる。
【００５０】
なお、切り込み２１１Ａによって残された前記一部の形状、位置、および大きさ等は、使用済みの内視鏡用鉗子栓１を使用不可能な状態とすることができるものであれば、図３に示すものに限定されず、任意である。
【００５１】
また、低強度部２１１は、前記装着時におけるフランジ１６３よりも内視鏡１０側、すなわち先端側に位置している。これにより、内視鏡用鉗子栓１の離脱時に、低強度部２１１の不本意な変形をより確実に防止することができる。その結果、本体２の一部が基端開口部１６１に残ったままとなるのを防止することができる。
【００５２】
本体２が基端開口部１６１から離脱される際に、低強度部２１１の変形（破断）に要する引っ張り力は、特に限定されないが、低強度部２１１は、前記離脱の際に、本体２が１〜２ｋｇの引っ張り力で前記離脱方向に引っ張られると、前述したような変形（破断）を生じるのが好ましい。言い換えすれば、低強度部２１１は、低強度部２１１を中心として本体２の両側を離反方向に、１〜２ｋｇの力で引っ張った際に、変形（破断）を生じるようになっているのが好ましい。これにより、使用済みの内視鏡用鉗子栓１をより確実に使用不可能な状態とすることができる。
【００５３】
蓋体３は、先端側に底部を備えたほぼ有底筒状（有底円筒状）をなしており、この底部により開閉部３１が構成されている。図示の構成では、開閉部３１は、ほぼ半球状に丸みを帯びている。
【００５４】
この蓋体３は、本体２の基端側の部分と隔壁部２３とで囲まれて形成される凹部２４に挿入した状態で設置されている。
【００５５】
開閉部３１の中央部には、処置具が挿入（挿通）する一文字状のスリット３２が形成されている。なお、このスリット３２の形状は、特に限定されず、例えば、十文字状、Ｌ字状等であってもよい。
【００５６】
蓋体３の開閉部３１より基端側の部分の内腔は、処置具が挿通する通路３３となっている。この通路３３が形成されていることにより、処置具をスリット３２に挿入する際、処置具の先端部がスリット３２へ案内されるため、この操作を容易に行うことができる。
【００５７】
蓋体３の外周には、フランジ２２に係合する係合部３４がリング状に突出形成されている。蓋体３は、その胴部がフランジ２２の内周に嵌合するとともに、係合部３４の基端側面がフランジ２２の先端側面に係合することにより、本体２に対し液密に固定されている。
【００５８】
蓋体３と本体２とは、両者が弾性変形することによりフランジ２２と係合部３４との係合を解除することができ、着脱可能になっている。
【００５９】
蓋体３の基端部には、外方に突出するツマミ３５が形成されており、蓋体３を本体２から取り外す際には、このツマミ３５を挟持し蓋体３を引っ張って取り外すことができる。
【００６０】
また、ツマミ３５の反対側からは、可撓性を有する細長い連結部材３６が延設されており、この連結部材３６は、基端開口部１６１の根元部に外側から嵌合して設置されたリング部材３７に接続されている。蓋体３を取り外すと、連結部材３６は、図２中の一点鎖線で示すように変形して、蓋体３を保持する。これにより、蓋体３を本体２から取り外した際に、蓋体３が落下したり、紛失したりするのを防止することができる。
【００６１】
このような内視鏡用鉗子栓１が設置された内視鏡１０において、処置具を使用する際には、処置具を通路３３の基端開口３３１より挿入し、スリット３２および孔２３１を順次通過させて、処置具挿通チャンネル１６内に挿入する。
【００６２】
処置具を挿入した状態では、スリット３２は、開閉部３１が変形することにより開いた状態になり、スリット３２の接合面３２１は、処置具の外周面に密着する。これにより、体腔内の液体が基端開口部１６１から漏出するのを防止することができる。
【００６３】
また、本実施形態では、処置具を挿入した状態で、孔２３１の内周面も処置具の外周面に密着する。これにより、体腔内の液体が基端開口部１６１から漏出するのをより確実に防止することができる。
【００６４】
処置具を内視鏡用鉗子栓１より抜去すると、開閉部３１等の弾性により、接合面３２１同士が密着してスリット３２が閉じた状態に戻る。これにより、処置具を挿入していない状態でも、体腔内の液体が基端開口部１６１から漏出するのを防止することができる。
【００６５】
このような内視鏡用鉗子栓１は、使用毎に新品に交換して使用するもの、すなわちディスポーザブル化されたものである。以下、内視鏡の基端開口部１６１に対する内視鏡用鉗子栓１の着脱を詳細に説明する。
【００６６】
内視鏡用鉗子栓１を基端開口部１６１に装着するに際しては、図４（Ａ）に示すように、まず、基端開口部１６１に対し、蓋体３の連結部材３６のリング部材３７を取り付ける。
【００６７】
次に、図４（Ｂ）に示すように、本体２の縮径部２１を弾性変形により拡径させながら、本体２に基端開口部１６１を挿入していく。
【００６８】
そして、図４（Ｃ）に示すように、基端開口部１６１のフランジ１６３が本体２の縮径部２１を通過し、本体２が基端開口部１６１に装着される。
【００６９】
一方、内視鏡用鉗子栓１を基端開口部１６１から取り外すに際しては、図５（Ａ）に示すような装着状態から、使用者が内視鏡用鉗子栓１を図５にて上方（基端側）に引っ張る。
【００７０】
すると、図５（Ｂ）に示すように、基端開口部１６１のフランジが縮径部を拡径させながら、低強度部２１１を通過する。
【００７１】
さらに、フランジ１６３と縮径部２１との摩擦力に抗して、本体２を上方に引っ張ると、本体２の低強度部２１１における強度よりも、本体２を引っ張る力が勝って、図５（Ｃ）に示すように、本体２の低強度部２１１が破断される。これにより、本体は再使用不可能な状態となる。
【００７２】
このとき、本体２の低強度部２１１は切り込み２１１Ａ以外の部分の一部が接合したままとなっており、さらに、本体２を引っ張ると、本体２は完全に基端開口部１６１から取り外される。
【００７３】
以上説明したように、本発明の内視鏡用鉗子栓１は、本体２が基端開口部１６１から離脱される際に、低強度部２１１が本体２を再使用不可能な状態にするように不可逆的に変形する。
【００７４】
したがって、使用済みの内視鏡用鉗子栓１は変形していて、外見から使用済みであることが分かるので、使用者が使用済みの内視鏡用鉗子栓１を誤って再使用するのを防止することができる。
【００７５】
また、処置具挿通チャンネル１６の基端開口部１６１から取り外された内視鏡用鉗子栓１は再使用不可能となるので、この点でも、使用者が使用済みの内視鏡用鉗子栓１を誤って再使用するのを防止することができる。
【００７６】
以上、本発明の内視鏡用鉗子栓を図示の実施形態について説明したが、本発明は、これに限定されるものではなく、内視鏡用鉗子栓を構成する各部は、同様の機能を発揮し得る任意の構成のものと置換することができる。
【００７７】
例えば、低強度部２１１として、本体２に切り込み２１１Ａを形成することによるものを説明したが、本体部２を基端開口部１６１から離脱する際に、本体２が再使用不可能な状態になるような強度となるものであれば、これに限定されない。例えば、本体２の一部を、肉薄にしたり低強度の材料で構成してもよい。
【００７８】
また、本発明の内視鏡用鉗子栓は、本体と蓋体とに分割されているものに限らず、この両者に相当する部分が一体的に（一部材で）形成されているようなものでもよい。
【図面の簡単な説明】
【００７９】
【図１】本発明の内視鏡用鉗子栓が設置された内視鏡を示す平面図である。
【図２】本発明の内視鏡用鉗子栓の実施形態を示す縦断面図である。
【図３】図２のＡ−Ａ線断面図である。
【図４】図２に示す内視鏡用鉗子栓を内視鏡に装着する様子を示す図である。
【図５】図２に示す内視鏡用鉗子栓を内視鏡に取り外す様子を示す図である。
【符号の説明】
【００８０】
１            内視鏡用鉗子栓
２            本体
２１          縮径部
２１１        低強度部（破断部）
２１１Ａ      切り込み
２２          フランジ
２３          隔壁部
２３１        孔
２４          凹部
２５          拡径部
３            蓋体
３１          開閉部
３２          スリット
３２１        接合面
３３          通路
３３１        基端開口
３４          係合部
３５          ツマミ
３６          連結部材
３７          リング部材
４、４１、４２  被覆層
１０          内視鏡
１１          挿入部可撓管
１２          操作部
１２１        突出部
１３          湾曲部
１４          光源差込部
１５          接続部可撓管
１６          処置具挿通チャンネル
１６１        基端開口部
１６２        先端開口部
１６３        フランジ
【図１】
2006055446.tif 000003
【図２】
2006055446.tif 000004
【図３】
2006055446.tif 000005
【図４】
2006055446.tif 000006
【図５】
2006055446.tif 000007